(57)【特許請求の範囲】
【請求項１】
温室の天井近傍に二枚のフィルムからなるカーテンを張架し、その内部に気体を封入して膨隆し、カーテンから放出される気体によって温室内を適温に保つ温室のカーテン内張り法において、カーテンを構成する上部フィルムを農業用ポリオレフィン系フィルムで形成し、下部フィルムをポリビニールアルコール樹脂を割いて繊維シート状に加工した布状物に形成するとともに、温室の前後妻面にかけて張架されるカーテン端縁を開口状となし、カーテン端部が妻面近傍の梁材に密接しつつ下方に向けて垂設され、しかして上部フィルムの上面にほぼ等間隔とした棚線を直交状に取り付け、さらに下部フィルムの下面に、上部フィルムにおける前記棚線の間隔よりも幅狭とした棚線を直交状に取り付けることを特徴とする温室のカーテン内張り法。
【請求項２】
温室の天井近傍に二枚のフィルムからなるカーテンを張架し、その内部に気体を封入して膨隆し、カーテンから放出される気体によって温室内を適温に保つ温室カーテンにおいて、カーテンを構成する上部フィルムを農業用ポリオレフィン系フィルムで形成し、下部フィルムをポリビニールアルコール樹脂を割いて繊維シート状に加工した布状物に形成するとともに、温室の前後妻面にかけて張架されるカーテン端縁を開口状となし、カーテン端部は妻面近傍の梁材に密接し且つ下方に向けて垂設され、上部フィルムの上面にほぼ等間隔とした棚線を直交状に取り付け、下部フィルムの下面に、上部フィルムにおける前記棚線の間隔よりも幅狭とした棚線を直交状に配してなる温室カーテン。
【請求項３】
前記した上部フィルムの上面に取り付けた各棚線の間隔が１５０ｃｍ程度であり、下部フィルムの下面に取り付けた各棚線の間隔が５０ｃｍ程度であることを特徴とする請求項２に記載の温室カーテン。
【請求項４】
前記したカーテン端部を温室の床面に密接して内側に折り曲げ、折り曲げた箇所に、上部を桟に固定し、カーテンから分岐管を介して気体が送り込まれる補助カーテンの下端縁を密接することを特徴とする請求項２又は３に記載の温室カーテン。
【発明の詳細な説明】
【技術分野】
【０００１】  本発明は、植物栽培用温室の天井近傍に張設する温室のカーテン内張り法及び温室カーテンに関する。
【背景技術】
【０００２】  植物栽培のために温室は適温に保たれていることが必要で、そのために天井近傍にはシート状としたカーテンが張設されている。このカーテンはプラスチック等を素材とするフィルムで構成され、その中に気体を封入できる二層構造のものが汎用されて温室に内張りされるようになっている（例えば特許文献１〜３参照）。
【先行技術文献】
【特許文献】
【０００３】
【特許文献１】特開昭５２−８１２４２号公報
【特許文献２】実開昭５８−１７２６０１号公報
【特許文献３】特開２００５−３３３９３２号公報
【発明の概要】
【発明が解決しようとする課題】
【０００４】  特許文献１には、フィルム間に気室を形成する二重プラスチックフィルムの気室中に気体を封入することによりハウス内温度を調節することを特徴とする農業用ハウスの温度調節法及び温度調節用プラスチックフィルムが記載されている。この技術では気室中に封入された気体によって全体が膨隆し、気体の温熱によって温室内が温められることは理解できるが、気体封入を止めるとフィルム内は漸次冷えてきてフィルム内に水滴が滞留し、この水滴によってフィルム相互が吸着するためフィルムを収縮・開展するときの操作がスムースにいかないという問題がある。【０００５】  特許文献２には、二重構造のシート（フィルム）における内側のシートに通気自在の微少な開孔を設けたことが記載されている。この開孔によって気体が常時外部に放出されることにより結露の発生が抑止されることは想定できるものの、開孔が大きいと気体の放出が過大となって温室内が適温に保たれなくなったりフィルムが程よい膨隆状態とならない危惧があるのと、開孔が小さすぎると気体の放出がスムースにいかずカーテン内に気体が充満して温度が上がり、冷えた時にシート内部に結露が生じて収縮時の操作性が悪くなるという懸念がある。【０００６】  特許文献３には、ポリオレフィン系樹脂又は塩化ビニル樹脂からなるフィルムを素材とし、二枚重ねてチューブ形態に形成するとともにチューブには多数の空気抜き孔が分布された農業用空気膜フィルムが記載されている。この技術では適度な大きさの空気抜き孔によって温室内の保温効率が良くなることを謳っているが、空気を抜いたときに十分な結露の発生を抑止できるか否かは不明であるのと、水滴が残った場合に重ねたフィルム同士が吸着して折り畳み動作に支障を生じるおそれなしとしない。【０００７】  本発明はこのような従来技術の問題点を考慮してなされたもので、温室内が適温となるべく二重としたフィルムを従来品とは異なる素材を用いて構成し、気体が絶えず自然に放出されることで保温効果が向上することは勿論、カーテンの開閉操作が円滑になされることを意図した温室のカーテン内張り法及び温室カーテンを提供しようとするものである。
【課題を解決するための手段】
【０００８】  そのために本発明は、温室の天井近傍に二枚のフィルムからなるカーテンを張架し、その内部に気体を封入して膨隆し、カーテンから放出される気体によって温室内を適温に保つ温室のカーテン内張り法において、カーテンを構成する上部フィルムを農業用ポリオレフィン系フィルムで形成し、下部フィルムをポリビニールアルコール樹脂を割いて繊維シート状に加工した布状物に形成するとともに、温室の前後妻面にかけて張架されるカーテン端縁を開口状となし、カーテン端部が妻面近傍の梁材に密接しつつ下方に向けて垂設され、しかして上部フィルムの上面にほぼ等間隔とした棚線を直交状に取り付け、さらに下部フィルムの下面に、上部フィルムにおける前記棚線の間隔よりも幅狭とした棚線を直交状に取り付けることを特徴とする温室のカーテン内張り法を主旨とする。【０００９】  温室の天井近傍に二枚のフィルムからなるカーテンを張架し、その内部に気体を封入して膨隆し、カーテンから放出される気体によって温室内を適温に保つ温室カーテンにおいて、カーテンを構成する上部フィルムを農業用ポリオレフィン系フィルムで形成し、下部フィルムをポリビニールアルコール樹脂を割いて繊維シート状に加工した布状物に形成するとともに、温室の前後妻面にかけて張架されるカーテン端縁を開口状となし、カーテン端部は妻面近傍の梁材に密接し且つ下方に向けて垂設され、上部フィルムの上面にほぼ等間隔とした棚線を直交状に取り付け、下部フィルムの下面に、上部フィルムにおける前記棚線の間隔よりも幅狭とした棚線を直交状に配してなる温室カーテンを特徴とする。【００１０】  前記した上部フィルムの上面に取り付けた各棚線の間隔が１５０ｃｍ程度であり、下部フィルムの下面に取り付けた各棚線の間隔が５０ｃｍ程度であることを特徴とする。【００１１】  前記したカーテン端部を温室の床面に密接して内側に折り曲げ、折り曲げた箇所に、上部を桟に固定し、カーテンから分岐管を介して気体が送り込まれる補助カーテンの下端縁を密接することを特徴としている。
【発明の効果】
【００１２】  カーテンを構成する上部フィルムは滑面性の農業用ポリオレフィン系特殊フィルムであるから気体を逃さず雨水などが通ることもないが、下部フィルムは素材のポリビニールアルコール樹脂を割いて繊維状に加工した布状物としたものであり、ざらざら感があることは勿論透湿性・保温性等にすぐれ、したがってカーテン内部に気体を送り込むと気体の圧力でカーテンは膨隆して温室内には程よい温熱が行き渡る。布状物とした下部フィルムからは気体がじわじわと全面から発散されるためであり、従来は下部フィルムに微細孔を形成してそこから気体の放出を図ったが、微細とはいえ孔を形成することで気体の流出が過度になる嫌いがあったことは否めないが、布状物の下部フィルムではそのおそれがない。【００１３】  また本発明では妻面に臨むカーテン端部を梁材に密接させるとともに下方に向けて垂設するような構成とするものであり、カーテン端縁は開口状としてあるためここから絶えず気体流出がわずかではあるが可能となっている。すなわち温室の妻面近傍の梁材箇所において下方へと垂下するカーテン端部は、梁材がいわば堰止めの作用をするものであるからカーテン内部の気体は流出が抑えられて膨隆状態に変化はないものの梁材部分から上記したようにほんの少量ではあるが気体がカーテン端部を通って開口部から温室内へと放出され、したがってこの気体発散によってカーテン内の過大な滞留温熱が抑止される結果気体を送り込むブロワの稼働が停止して内部が冷えてもカーテン内には余分な結露の発生がなく、上部フィルムと下部フィルムが水滴によって相互が吸着することがない。それゆえ天井部を開放状態とするために温室の側面方向や中心方向へカーテンを収縮作動してもその動きは頗るスムースとなるものであり、カーテンに無理な負荷がかからないので故障の発生が抑えられて長期使用が可能となる。更には温室の断熱性が向上するため燃料使用の削減が実現できて経済的効果も確実にアップする。【００１４】  上部フィルムと下部フィルムにはそれぞれ棚線が存在し、棚線が抑えとなって気体充満時にフィルムの膨隆が一定状態に保たれて全体の形が整うためカーテンの開閉もスムースとなる。
【図面の簡単な説明】
【００１５】
【図１】温室にカーテンを張架した本発明の基本構造説明図である。
【図２】本発明における上部フィルムと下部フィルムの説明図である。
【図３】上下部フィルムで構成したカーテンの説明図である。
【図４】カーテンの張架状態を示す説明図である。
【図５】カーテンの膨隆状態を示す説明図である。
【図６】垂設したカーテン端部の内側に補助カーテンを取り付けた説明図である。
【発明を実施するための形態】
【００１６】  図面で示す実施形態につき順を追って説明すると、カーテン１０は図１のように温室１における天井２の近傍に張架される。温室１内には床面３に植物４が栽培されており、カーテン１０はブロワ５から送られた気体によって膨隆し、気体でカーテン１０は温められその温熱が温室１を適温状態に保ち、またカーテン１０は天井２の近傍だけでなく後記する妻面１ａにも前後の端部１０ｂが臨むように構成され、仮想線で示したように床面３近くまで垂設される。また通常温室１の正面側間口は８〜９ｍあるためカーテン１０は４枚張りとなる。なお温室１の側面１ｂには側部カーテン１０´が設けられるがこの点は従来の手法と大差はない。
【００１７】  カーテン１０は図２に示すとおり上部フィルム１１と下部フィルム１２で構成される。上部フィルム１１は滑面性の農業用ポリオレフィン系特殊フィルムからなっていて雨水を通さず空気を通すこともない。下部フィルム１２はポリビニールアルコール樹脂（ＰＶＡ）を素材として布状物に形成したもので、樹脂を割いて繊維シート状に加工することで得られ全体にざらざらとした触感がある。このポリビニールアルコール樹脂からなる布状の下部シート１２は吸水性・透湿性・保温性等にすぐれることで知られる。
【００１８】  そしてカーテン１０は図３のように長手方向の両側部Ｓがミシン加工によって封止され、前後の端縁は開放されていて開口部１０ａとなる。従ってこのままではカーテン内に気体が送られると当然ながら気体が滞留することはなく全て開口部１０ａから放出されてしまうが、カーテン１０は後述するような形で天井近傍に張架されるのでそのおそれはない。
【００１９】  しかしてカーテン１０は図４のように温室１の前後妻面１ａの近傍に横架した梁材６を跨ぐように掛装され、端部１０ｂが梁材６に密接しつつ下方に向けて垂設されるものでこのときの端部長さは４ｍ程度が重みの点からも望ましい。垂設された端部１０ｂの自重で梁材６とカーテン１０は密接し、このため梁材６があたかも気体を堰止めするという役割を果たすことが可能となった。
【００２０】  上部フィルム１１の上面には直交状に棚線１３が取り付けられ、下部フィルム１２の下面にも棚線１４がそれぞれ直交状に取り付けられている。この棚線１３・１４は直径が３ｍｍのポリエステル製線条を使用し、上部の棚線１３の間隔は１５０ｃｍ程度が良く、下部の棚線１３の間隔は５０ｃｍ程度であることが好ましい。こうすることによってカーテン１内にブロワ５から気体を送ると、図５に示すようにカーテン１は膨隆し、棚線１３・１４の箇所では膨隆が抑えられて図示のように波形を形成する。上部フィルム１１よりも下部フィルム１２に負荷がかかるため狭幅の多数の棚線１４がその支えとなるものである。そして充満した気体は上部フィルム１１からは放出されないが、下部フィルム１２は布状物となっているのと素材の性質から、気体がにじみ出るように発散して温室１内を理想的な保温状態とする。棚線１３と棚線１４との間隔は１０ｃｍ程度であり、膨隆時の上下部フィルム１１・１２は５０ｃｍ程度の厚みとなる。
【００２１】  梁材６にカーテン端部１０ｂは密接していて気体の流出を抑止するが、端部１０ｂは梁材６に固着されてはいないため気体がこの箇所で堰止めされてはいても全く漏出しないというわけではなく、わずかの間隙から微量ではあるが放出されるという好機能を発揮する。したがって気体がカーテン１０内に充満してもその膨隆状態を維持しながら気体による温熱の一部を開口部１０ａから逃がすことができるためブロワ５からの送気を停止してカーテン１０の内部が冷えても結露の発生がなく、上部フィルム１１と下部フィルム１２が水滴によって吸着するおそれはない。すなわち温室１は夜間が特に低温となるためその間およそ８時間程度ブロワ５を作動してカーテン１０・１０´を膨隆して室内を温め、翌朝ブロワ５を停止するとカーテン１０は急速に冷えてしぼむので従来の手法であると上下部フィルム１１・１２が結露によって吸着しカーテン１０を開ける段になるとスムースに可動しないという懸念があったが、上記のように本発明ではそのような危惧が一掃される。
【００２２】  図６は本発明の他の実施形態を示すもので、この例ではカーテン端部１０ｂを床面３に密接して内側に折り曲げ、折り曲げた箇所にカーテン１０から分岐管１５を介して気体が送り込まれるようにした補助カーテン１６を設けてある。温室妻面１ａ側の気体流出を極力抑えてこの箇所の断熱効果を高める観点からも補助カーテン１６が存在することは効果的といえる。補助カーテン１６はカーテン端部１０ｂの途中に設置すれば良く、上部は間口に沿う桟１７に固定される。、
【００２３】  温室１が大型である場合はカーテン１０を長手方向に繋げばよく、この場合はつなげた中間にブロワ５を取り付け、繋げたカーテン１０のそれぞれの端が前後の梁材６に臨むようにすればよいこと勿論である。かくして本発明では温室１の保温状態を適切に保つとともに、カーテン１０の結露発生を未然に防止できるという一石二鳥的効果が確実に得られという多大な成果が所期される。
【００２４】  本発明において前記実施形態等で具体的数値を示したが、本発明の目的効果を奏する範囲においてそれら数値の前後の数値も包含するものであり、またカーテン１０の開閉操作及び送気手段は従来周知の手法を採用でき、また本発明は温室１の保温状態を一層向上させるための手段、例えば温室内の角部にビニールシートを平面Ｌ字形に設置してこの箇所からの気体漏出を未然に防止することも一法であるが、これらも本発明の自由な実施の範疇に属するものである。
【符号の説明】
【００２５】  １    温室
１ａ  妻面
２    天井
６    梁材
１０  カーテン
１０ａ開口部
１０ｂ端部
１１  上部フィルム
１２  下部フィルム
１３  棚線
１４  棚線
１５  分岐管
１６  補助カーテン
【図１】
0005440983.tif 000002
【図２】
0005440983.tif 000003
【図３】
0005440983.tif 000004
【図４】
0005440983.tif 000005
【図５】
0005440983.tif 000006
【図６】
0005440983.tif 000007